(57)【要約】【課題】  本発明は魚釣用リールのハンドルに関し、あらゆる状況下でハンドル摘みを挟持する指の位置を不自然に摘み直すという煩わしさがなく、指で確実にハンドル摘みを挟持することのできる魚釣用リールのハンドルを提供することを目的とする。【解決手段】  請求項１に係る発明は、リール本体の駆動軸に連結されるハンドルアームと、前記ハンドルアームの端部に設けた支軸に回転自在に取り付くハンドル摘みとからなる魚釣用リールのハンドルに於て、前記ハンドル摘みを、円形状の外周面に手の指で挟持可能な複数の平面部または凹陥部を設けて多角形状に形成したことを特徴とする。【選択図】    図４
2008099567.tif 000002
【特許請求の範囲】
【請求項１】
リール本体の駆動軸に連結されるハンドルアームと、
前記ハンドルアームの端部に設けた支軸に回転自在に取り付くハンドル摘みとからなる魚釣用リールのハンドルに於て、
前記ハンドル摘みを、円形状の外周面に手の指で挟持可能な複数の平面部または凹陥部を設けて多角形状に形成したことを特徴とする魚釣用リールのハンドル。
【請求項２】
リール本体の駆動軸に連結されるハンドルアームと、
前記ハンドルアームの端部に設けた支軸に回転自在に取り付くハンドル摘みとからなる魚釣用リールのハンドルに於て、
前記ハンドル摘みに、円形状の外周面に手の指で挟持可能な複数の平面部または凹陥部を設けて多角形状に形成した摘み部材を、着脱可能に装着したことを特徴とする魚釣用リールのハンドル。
【請求項３】
複数の前記平面部または凹陥部は、一対の対向する平面部または凹陥部としてハンドル摘みまたは摘み部材に形成されていることを特徴とする請求項１または請求項２に記載の魚釣用リールのハンドル。
【請求項４】
前記ハンドル摘みまたは摘み部材は、一対の対向する平面部または凹陥部を複数設けて正多角形状に形成されていることを特徴とする請求項１乃至請求項３のいずれか１項に記載の魚釣用リールのハンドル。
【請求項５】
複数の前記平面部または凹陥部は、少なくともいずれか一つの平面部または凹陥部に凹状部が形成されていることを特徴とする請求項１乃至請求項４のいずれか１項に記載の魚釣用リールのハンドル。
【発明の詳細な説明】
【技術分野】
【０００１】
本発明は、釣糸の巻取り操作を行う魚釣用リールのハンドルに関する。
【背景技術】
【０００２】
従来周知のように、魚釣用リールに於ける釣糸の巻取り操作は、巻取り駆動機構に連結されたハンドルによって行われている。
一般に、魚釣用リールのハンドルは、リール本体内に装着された巻取り駆動機構の駆動軸（ハンドル軸）に連結されたハンドルアームと、このハンドルアームの端部に固着された支軸に回転自在に支持され、巻き取り操作時に指で摘んで回転操作されるハンドル摘みとで構成されている。そして、このハンドル摘みは、巻き取り操作する際に手の指で摘んで回転操作されることから、摘んだ際に滑り難くするため、その表面に滑り止め用の凸条を軸方向に向かって複数設けることが周知となっている。
【０００３】
而して、この構成によれば、ハンドル摘みを指で摘んでハンドルを回転操作する際に、滑りを抑制することが可能となるが、ハンドル摘みを強く摘むと、凸条が指の腹面に食い込んで長時間のツマミ操作で指が痛くなる等、操作性に劣るという問題があった。
また、馴染み易くフィット感を良くするため、柔軟性のある材料でハンドル摘みを形成すると、凸条が可撓性を有することから、摘んだ際に凸条が変形してしまい、ハンドル摘みを強く保持した状態でのハンドルの操作性や保持性に劣るといった問題があった。
【０００４】
そこで、昨今、断面略鼓形状に形成されたハンドル摘みの対向する二面に凹状の扁平状握部を設けると共に、この扁平状握部から軸方向端部に向けて複数の凹凸条を設けて、上述の如き不具合を解決した魚釣用リールのハンドルが特許文献１に開示されており、このハンドルによれば、摘んだ際に凹凸条による食い込みが少なくなるため、長時間のツマミ操作で指が痛くなることがなくなった。
【特許文献１】特開２００５−２４５２９３号公報
【発明の開示】
【発明が解決しようとする課題】
【０００５】
しかし、特許文献１に開示されたハンドルは、断面略鼓形状に形成されたハンドル摘みの対向する二面に凹状の扁平状握部を設けた構造上、対向する扁平状握部が位置した方向次第では、ハンドル摘みを摘み直さなければならないという制約を受ける欠点があった。
即ち、実釣時に仕掛けにアクションを加えたり、掛かった魚との駆け引きを行う場合やキャスティングする際には、ハンドル摘みから指を一旦離した後、再びハンドル摘みを摘むが、ハンドル摘みはハンドルアームの端部に固着された支軸に回転自在に支持されているために回転し、この結果、対向する扁平状握部が位置した方向次第では、この対向する扁平状握部に挟持する指の位置を不自然に大きく変えてハンドル摘みを摘み直さなければならなかった。
【０００６】
本発明は斯かる実情に鑑み案出されたもので、あらゆる状況下でハンドル摘みを挟持する指の位置を不自然に摘み直すという煩わしさがなく、指で確実にハンドル摘みを挟持することのできる魚釣用リールのハンドルを提供することを目的とする。
【課題を解決するための手段】
【０００７】
斯かる目的を達成するため、請求項１に係る発明は、リール本体の駆動軸に連結されるハンドルアームと、前記ハンドルアームの端部に設けた支軸に回転自在に取り付くハンドル摘みとからなる魚釣用リールのハンドルに於て、前記ハンドル摘みを、円形状の外周面に手の指で挟持可能な複数の平面部または凹陥部を設けて多角形状に形成したことを特徴とする。
【０００８】
そして、請求項２に係る発明は、リール本体の駆動軸に連結されるハンドルアームと、前記ハンドルアームの端部に設けた支軸に回転自在に取り付くハンドル摘みとからなる魚釣用リールのハンドルに於て、前記ハンドル摘みに、円形状の外周面に手の指で挟持可能な複数の平面部または凹陥部を設けて多角形状に形成した摘み部材を、着脱可能に装着したことを特徴とする。
【０００９】
また、請求項３に係る発明は、請求項１または請求項２に記載の魚釣用リールのハンドルに於て、複数の前記平面部または凹陥部は、一対の対向する平面部または凹陥部としてハンドル摘みまたは摘み部材に形成されていることを特徴とし、請求項４に係る発明は、請求項１乃至請求項３のいずれか１項に記載の魚釣用リールのハンドルに於て、前記ハンドル摘みまたは摘み部材は、一対の対向する平面部または凹陥部を複数設けて正多角形状に形成されていることを特徴とする。
【００１０】
更に、請求項５に係る発明は、請求項１乃至請求項４のいずれか１項に記載の魚釣用リールのハンドルに於て、複数の前記平面部または凹陥部は、少なくともいずれか一つの平面部または凹陥部に凹状部が形成されていることを特徴としている。
【発明の効果】
【００１１】
請求項１に係る発明によれば、従来に比しハンドル摘みを確実に指で挟持することができると共に、ハンドル摘みをスムーズに摘めて不自然に指の位置を変えて摘み直す必要がなくなり、円滑な巻取り操作が可能となった。
また、請求項２に係る発明によれば、摘み部材を介してハンドル摘みを確実に指で挟持することができると共に、摘み部材をスムーズに摘めて不自然に指の位置を変えて摘み直す必要がなくなり、円滑な巻取り操作が可能となる。
【００１２】
そして、摘み部材をハンドル摘みに着脱可能としたことで摘み部材のアフターパーツ化が可能となるため、例えば、摘み部材の外周に設けた平面部，凹陥部の数や摘み部材自体の大きさ，形状，色等、仕様の異なる他の摘み部材を別途用意してこれらを交換可能にすれば、釣人の好みや釣場の環境条件，釣法，対象魚等に適した魚釣用リールのハンドルを提供することが可能となる。
【００１３】
同様に、請求項３乃至請求項５に係る発明によれば、ハンドル摘みや摘み部材を安定した状態で且つ確実に指で挟持することができると共に、ハンドル摘みや摘み部材をスムーズに摘めて不自然に指の位置を変えて摘み直す必要がなくなり、円滑な巻取り操作が可能となる。
更に、請求項５に係る発明にあっては、指で挟持した際のハンドル摘みや摘み部材のグリップ力が更に向上すると共に、凹状部のデザイン化を図ることで意匠性が更に向上する利点を有する。
【発明を実施するための最良の形態】
【００１４】
以下、本発明の実施形態を図面に基づいて詳細に説明する。
図１は請求項１及び請求項３の第一実施形態に係るハンドルを装着した魚釣用リールを示し、図中、１，３はフレーム５の左右に取り付く側板で、両側板１，３とフレーム５によって魚釣用リール７のリール本体９が構成されている。そして、両側板１，３間にスプール軸１１が支持部１２等に回転自在に支持され、このスプール軸１１を介して両側板１，３間にスプール１３が回転可能に支持されている。
【００１５】
そして、側板３側に突出するスプール軸１１には、スプール軸１１に設けたクラッチ部１５に係脱可能なピニオン１７が回転可能且つその軸方向へスライド可能に取り付けられており、従来と同様、リール本体９に装着したクラッチレバー（図示せず）の操作でこれらのクラッチ係合を係脱させると、スプール１３がスプールフリー状態（クラッチＯＦＦ：動力遮断状態）と釣糸巻取り状態（クラッチＯＮ：動力伝達状態）とに切り換わり、また、このスプールフリー状態で、側板３側に装着したハンドル１９を釣糸巻取り方向へ回転させると、周知の復帰機構によりスプール１３がスプールフリー状態から釣糸巻取り状態へ復帰するようになっている。
【００１６】
而して、ハンドル１９は、リール本体９内に装着された後述する巻取り駆動機構２１の駆動軸（ハンドル軸）２３に連結されたハンドルアーム２５と、このハンドルアーム２５の両端部に固着された支軸２７に回転自在に取り付くハンドル摘み２９とで構成されており、ハンドル摘み２９はアルミニウム合金や銅合金等の金属材料や硬質の樹脂材料で形成されている。そして、駆動軸２３の挿入先端部は転がり軸受（図示せず）を介してフレーム５に回転可能に取り付き、駆動軸２３の挿入先端側に前記復帰機構のクラッチ復帰ギヤ３１が取り付けられている。
【００１７】
図２乃至図４に示すようにハンドル摘み２９は、外周が円形状に形成されたその先端部３３や後部３５に比しやや小径な円筒形状の中央部分の外周面に、一対の対向する同一形状の平面部３７を周方向に三対設けると共に、各平面部３７の間に、各平面部３７に比し幅狭な円弧部３９を先端部３３，後部３５間に亘って平行に設けて、ハンドル摘み２９の中央部分を断面略正六角形状としたもので、図２及び図４の如く釣人がハンドル摘み２９を親指４１と人差し指４３で摘むとき、常に対向する一対の平面部３７を、親指４１と人差し指４３とで摘むことができるようになっている。
【００１８】
そして、図３及び図４に示すようにハンドル摘み２９の中心に、支軸２７が挿通する貫通孔５１が形成されている。
更に、貫通孔５１の前後の内周には、支軸２７の前後外周に装着した２つの転がり軸受５３，５５を係止させる凹状の係止部５７，５９が周方向に設けられており、貫通孔５１内に挿入した支軸２７の挿入側先端部にネジ６１を螺着して、転がり軸受５３をこのネジ６１と係止部５７とで挟持し、且つ転がり軸受５５を支軸２７の後部側に設けた環状のスペーサ６３と係止部５９とで挟持することで、ハンドル摘み２９が支軸２７に回転可能に抜け止め支持されている。そして、ハンドル摘み２９の先端部３３に、貫通孔５１の開口部を閉塞するキャップ６５が止着されている。
【００１９】
その他、図１に於て、６７は駆動軸２３に回転可能に取り付くドライブギヤで、このドライブギヤ６７は前記ピニオン１７に噛合している。そして、ドライブギヤ６７と駆動軸２３は従来周知のドラグ装置６９によって摩擦結合されており、これらドライブギヤ６７とピニオン１７，ドラグ装置６９，駆動軸２３が、ハンドル１９の回転力をスプール軸１１に伝達させる巻取り駆動機構２１を構成している。
【００２０】
本実施形態に係るハンドル１９を装着した魚釣用リール７はこのように構成されており、クラッチレバーの操作でスプール１３をスプールフリー状態にすると、仕掛けの重量で釣糸がスプール１３から繰り出され、また、斯かる状態からハンドル１９の操作でスプール１３を釣糸巻取り状態に復帰させてハンドル１９を巻取り操作すれば、ハンドル１９の回転力が巻取り駆動機構２１によりスプール軸１１に伝達されてスプール１３が回転し、釣糸がスプール１３に巻き取られることとなる。
【００２１】
そして、既述したようにハンドル１９のハンドル摘み２９は、親指４１と人差し指４３で摘む中央部分が、円筒形状の外周面に一対の対向する平面部３７を三対設けた断面略正六角形状とされているため、釣人が実釣時に仕掛けにアクションを加えたり、掛かった魚との駆け引きを行うためにハンドル摘み２９から指４１，４３を一旦離した後、再びハンドル摘み２９を摘む際に、常に対向する周方向に連続して形成された一対の平面部３７を親指４１と人差し指４３とで、挟持する指の位置を不自然に変えることなくスムーズ且つ確実に摘むことができることとなる。
【００２２】
このように、本実施形態は、断面略鼓形状に形成した特許文献１のハンドルのハンドル摘みと異なり、親指４１と人差し指４３で摘むハンドル摘み２９の中央部分を、一対の対向する同一形状の平面部３７を三対設けた断面略正六角形状に形成して、ハンドル摘み２９を摘む際に、常に対向する一対の平面部３７を親指４１と人差し指４３で摘むことができるようにしたので、従来に比しハンドル摘み２９を挟持する指の位置を不自然に変えることなく安定した状態で確実に指４１，４３で挟持することができると共に、ハンドル摘み２９をスムーズに摘めて指の位置を不自然且つ無理に摘み直す必要がなくなり、円滑な巻取り操作が可能となった。
【００２３】
また、本実施形態は、各平面部３７の間に、各平面部３７に比し幅狭な円弧部３９を設けてハンドル摘み２９の外周面に鋭角な角部をなくしたため、長時間のツマミ操作で指が痛くなることがなくなると共に、見栄えが良好となって意匠性が向上する利点を有する。
図５は図４に対応する請求項１及び請求項３の第二実施形態に係るハンドルのハンドル摘みの断面図を示し、本実施形態は、図４の平面部３７に代え、円筒形状のハンドル摘み７１の中央部分の外周面に、親指４１と人差し指４３の腹面形状に沿って円弧状に凹んだ一対の対向する同一形状の凹陥部７３を周方向に三対設けて、ハンドル摘み７１の中央部分を断面略正六角形状としたもので、前記実施形態と同様、各凹陥部７３の間には、各凹陥部７３に比し幅狭な円弧部３９が設けられている。
【００２４】
尚、その他の構成は図１の実施形態と同様であるので、同一のものには同一符号を付してそれらの説明は省略する。
本実施形態はこのように構成されており、本実施形態によっても、前記実施形態と同様、所期の目的を達成することができることは勿論、本実施形態は図４の平面部３７に代え、親指４１と人差し指４３の腹面に沿った円弧状の凹陥部７３をハンドル摘み７１の外周面に設けたため、親指４１と人差し指４３で摘んだ際に、指先の腹部とのフィット感が向上し、更に滑り難くなる等の利点を有する。
【００２５】
図６は図４に対応する請求項１の一実施形態に係るハンドルのハンドル摘みの断面図を示し、本実施形態は、円筒形状のハンドル摘み７５の中央部分の外周面に、同一形状の五つの平面部７７を周方向に設けると共に、各平面部７７の間に、各平面部７７に比し幅狭な円弧部３９を先端部３３と後部３５間に平行に設けて、ハンドル摘み７５の中央部分を断面略五角形状としたもので、図示するように釣人がハンドル摘み７５を親指４１と人差し指４３で摘むとき、支軸２７を挟んだ二つの平面部７７を摘むことができるようになっている。
【００２６】
尚、その他の構成は図１の実施形態と同様であるので、同一のものには同一符号を付してそれらの説明は省略する。
本実施形態はこのように構成されており、本実施形態によっても、従来に比しハンドル摘み７５を安定した状態で且つ確実に指４１，４３で挟持することができると共に、実際の巻き取り操作時に於て、挟持する指の位置の対向位置が変化する状況に於ても、ハンドル摘み７５をスムーズに摘めて、円滑な巻取り操作が可能となった。
【００２７】
図７は図４に対応する請求項１，請求項３及び請求項４の一実施形態に係るハンドルのハンドル摘みの断面図を示し、本実施形態は、円筒形状のハンドル摘み７９の中央部分の外周面に一対の対向する同一形状の平面部８１を周方向に四対設けて、ハンドル摘み７９の中央部分を断面正八角形状に形成したものである。
そして、その他の構成は図１の実施形態と同様であるので、同一のものには同一符号を付してそれらの説明は省略する。
【００２８】
本実施形態はこのように構成されており、本実施形態によっても、図１の実施形態と同様、所期の目的を達成することが可能で、従来に比しハンドル摘み７９を安定した状態で且つ確実に指で挟持することができると共に、ハンドル摘み７９をスムーズに摘めて指の位置を不自然に摘み直す必要がなくなり、円滑な巻取り操作が可能となる。
また、本実施形態は、ハンドル摘み７９の中央部分を断面正八角形状に形成して周方向に形成される平面部８１の数を増やした構造上、指の挟持対向平面が周方向に増えたことにより、既述した各実施形態に比し、指の腹部で摘める接触面（隣接面）が増えてグリップ性能が更に向上する利点を有する。
【００２９】
図８及び図９は図４に対応する請求項１，請求項３乃至請求項５の一実施形態に係るハンドルのハンドル摘みを示し、本実施形態に係るハンドル１９-1のハンドル摘み７９-1は、図７のハンドル摘み７９の構成に加え、総ての平面部８１-1に複数本の凹状部（溝）８３を軸方向に設けてグリップ力の向上を図ったものである。
尚、その他の構成は図１の実施形態と同様であるので、同一のものには同一符号を付してそれらの説明は省略する。
【００３０】
而して、本実施形態に係るハンドル摘み７９-1によれば、総ての平面部８１-1に複数本の凹状部８３を設けた構造上、図７のハンドル摘み７９に比し、指４１，４３で挟持した際のグリップ力が更に向上すると共に、凹状部８３のデザイン化を図ることで意匠性が更に向上する利点を有する。
尚、凹状部８３は必ずしも総ての平面部８１-1に設ける必要はなく、機能性や意匠性等を考慮して適宜設けてもよい。
【００３１】
また、上述したハンドル摘みは、夫々、外周面に平面部または凹陥部を有する円筒形状に形成されて支軸に回転可能に支持されているが、ハンドル摘みを円柱形状に形成して支軸を一体形成し、これを軸受を介してハンドルアームに回転可能に支持してもよく、内部構造は中空でも中実でも特に限定されない。
図１０乃至図１２は請求項２乃至請求項４の一実施形態に係るハンドルを示し、図１１及び図１２に於て、８５はハンドルアーム２５の端部の支軸２７に回転自在に支持されたハンドル摘みで、このハンドル摘み８５は、対向する一対の平面部８７と円弧部８９とからなるやや扁平な断面非円形状に形成されて、既存のハンドル摘みと類似し且つ既存のハンドル摘みに比べやや小型な外形形状を有している。
【００３２】
図１１に示すように前記ハンドル摘み８５は、図３のハンドル摘み２９の取付構造と同様、中心に支軸２７が挿通する貫通孔５１が形成されると共に、貫通孔５１の前後の内周に、支軸２７の前後外周に装着した前記転がり軸受５３，５５を係止させる凹状の係止部５７，５９が周方向に設けられており、貫通孔５１内に挿入した支軸２７の挿入側先端部にネジ６１を螺着して、転がり軸受５３をこのネジ６１と係止部５７とで挟持し、且つ転がり軸受５５を支軸２７の後部側に設けた環状のスペーサ６３と係止部５９とで挟持することで、ハンドル摘み８５が転がり軸受５３，５５を介して支軸２７に回転可能に抜け止め支持されている。
【００３３】
そして、本実施形態は、前記ハンドル摘み８５の外周に、筒状の摘み部材９１を着脱可能に装着したことを特徴とする。
図示するように摘み部材９１は、後端側に形成された環状の基部９３と、一対の対向する同一形状の平面部９５を周方向に四対設けて断面正八角形状に形成した摘み部９７とで構成されている。そして、摘み部材９１の中心に、前記ハンドル摘み８５の外形形状と一致したハンドル摘み取付孔９９が設けられており、前記基部９３側に開口するハンドル摘み取付孔９９の挿入口１０１からハンドル摘み８５が挿入できるようになっている。
【００３４】
また、摘み部材９１の反挿入口１０１側には、前記ネジ６１の挿通孔１０３が設けられており、上述したように挿入口１０１からハンドル摘み８５をハンドル摘み取付孔９９内に挿入した後、挿通孔１０３を挿通させたネジ６１を支軸２７の挿入側先端部に螺着すると、ハンドル摘み８５が支軸２７に回転自在に取り付くと共に、摘み部材９１がハンドル摘み８５の外周に固定されるようになっている。
【００３５】
従って、摘み部材９１が不要の場合は、ネジ６１を外してハンドル摘み８５から摘み部材９１を取り除けばよい。
尚、その他の構成は図１の実施形態と同様であるので、同一のものには同一符号を付してそれらの説明は省略する。
本実施形態に係るハンドル１０５はこのように構成されており、摘み部材９１を用いず、ハンドル摘み８５だけで釣糸の巻取り操作が可能であるが、ハンドル摘み８５はやや扁平な断面非円形状に形成されて既存のハンドル摘みと類似し且つやや小型な外形形状を有しているため、方向次第ではハンドル摘み８５を摘み直さなければならない。
【００３６】
しかし、図１０及び図１２に示すようにハンドル摘み８５の外周に摘み部材９１を装着すれば、釣人が摘み部材９１を摘む際に、常に対向する一対の平面部９５を親指４１と人差し指４３とでスムーズ且つ確実に摘むことができることとなる。
従って、既述した各実施形態と同様、本実施形態によっても、従来に比し摘み部材９１を介してハンドル摘み８５を安定した状態で且つ確実に指４１，４３で挟持することができると共に、摘み部材９１をスムーズに摘めて指の位置を不自然に摘み直す必要がなくなり、円滑な巻取り操作が可能となる。
【００３７】
また、摘み部材９１をハンドル摘み８５に着脱可能としたことで摘み部材のアフターパーツ化が可能となるため、例えば、摘み部材の外周に設けた平面部の数や摘み部材自体の大きさ，形状，材質，色彩、また、平面部に変えて図５の如き凹陥部７３を設けた摘み部材等、仕様の異なる他の摘み部材を別途用意してこれらを交換可能にすれば、釣人の好みや釣場の環境条件，釣法，対象魚等に適した魚釣用リールのハンドルを提供することが可能となる。
【図面の簡単な説明】
【００３８】
【図１】請求項１及び請求項３の第一実施形態に係るハンドルを装着した魚釣用リールの一部切欠き平面図である。
【図２】ハンドル摘みの拡大平面図である。
【図３】図２のIII−III線断面図である。
【図４】図２のIV−IV線断面図である。
【図５】請求項１及び請求項３の第二実施形態に係るハンドルのハンドル摘みの断面図である。
【図６】請求項１の一実施形態に係るハンドルのハンドル摘みの断面図である。
【図７】請求項１，請求項３及び請求項４の一実施形態に係るハンドルのハンドル摘みの断面図である。
【図８】請求項１，請求項３乃至請求項５の一実施形態に係るハンドルのハンドル摘みの拡大平面図である。
【図９】図８のIX−IX線断面図である。
【図１０】請求項２乃至請求項４の一実施形態に係るハンドルのハンドル摘みの拡大平面図である。
【図１１】ハンドル摘みの分解である。
【図１２】図１０のXII−XII線断面図である。
【符号の説明】
【００３９】
１，３  側板
５  フレーム
７  魚釣用リール
９  リール本体
１１  スプール軸
１３  スプール
１９，１９-1，１０５  ハンドル
２１  巻取り駆動機構
２３  駆動軸
２５  ハンドルアーム
２７  支軸
２９，７１，７５，７９，７９-1，８５  ハンドル摘み
３７，７７，８１，８１-1，８７，９５  平面部
３９，８９  円弧部
４１  親指
４３  人差し指
５１  貫通孔
５３，５５  転がり軸受
６１  ネジ
６５  キャップ
７３  凹陥部
８３  凹状部
９１  摘み部材
９７  摘み部
９９  ハンドル摘み取付孔
１０１  挿入口
１０３  挿通孔
【図１】
2008099567.tif 000003
【図２】
2008099567.tif 000004
【図３】
2008099567.tif 000005
【図４】
2008099567.tif 000006
【図５】
2008099567.tif 000007
【図６】
2008099567.tif 000008
【図７】
2008099567.tif 000009
【図８】
2008099567.tif 000010
【図９】
2008099567.tif 000011
【図１０】
2008099567.tif 000012
【図１１】
2008099567.tif 000013
【図１２】
2008099567.tif 000014